(57)【要約】【課題】フィルムの使用状態が撮影済みの場合でも、フィルムに書き込まれた情報の読み出し時に二重露光させる事なく、情報の読み出しが行なえる。【解決手段】フィルム使用状態が撮影済み及び現像済みの場合に、シャッタの駆動動作を禁止するので、前者の場合は二重露光防止、後者の場合は不要な撮影動作を行なうことが無い。又、撮影済み・現像済みフィルムの場合はズームＳＷがフィルムの情報読み出し用のＳＷに変わるので、ＳＷを多く必要としない。【選択図】　　　　図１
2004012500.tif 000002
【特許請求の範囲】
【請求項１】
フィルムに情報の書き込み及び前記情報の記録内容の読み出しを行う磁気記録再生手段と、前記フィルムの使用状態を判別する判別手段と被写体光を前記フィルムに露光させるシャッタ装置とを有し、前記判別手段の判別結果に応じて、前記磁気記録再生手段が前記情報の読み出しモードになる時には前記シャッタ装置の駆動を禁止することを特徴とするカメラ。
【請求項２】
フィルムに情報の書き込み及び前記情報の記録内容の読み出しを行う磁気記録再生手段と、前記フィルムの使用状態を判別する判別手段と被写体光を前記フィルムに露光させるシャッタ装置とを有し、前記判別手段によりフィルムが撮影済みと判別された場合に、前記磁気記録再生手段が前記情報の読み出しモードになり、前記シャッタ装置の駆動を禁止することを特徴とするカメラ。
【請求項３】
フィルムに情報の書き込み及び前記情報の記録内容の読み出しを行う磁気記録再生手段と、前記フィルムの使用状態を判別する判別手段と被写体光を前記フィルムに露光させるシャッタ装置とを有し、前記判別手段によりフィルムが現像済みと判別された場合に、前記磁気記録再生手段が前記情報の読み出しモードになり、前記シャッタ装置の駆動を禁止することを特徴とするカメラ。
【請求項４】
フィルムに情報の書き込み及び前記情報の記録内容の読み出しを行う磁気記録再生手段と、前記情報を読み出し状態に設定する設定手段と被写体光を前記フィルムに露光させるシャッタ装置とを有し、前記読み出し設定手段により情報読み出しモードに設定された場合には、シャッタ装置の駆動を禁止することを特徴とするカメラ。
【請求項５】
請求項１、２、３、４に記載のカメラにおいて、前記制御手段が何れの状態に制御されているかを表示する表示手段を有することを特徴とするカメラ。
【請求項６】
請求項１、２、３、４に記載のカメラにおいて、前記フィルムの装填後に前記磁気記録再生手段が前記フィルムの各駒の前記情報の読み出しを連続的に行うことを特徴とするカメラ。
【請求項７】
フィルムに情報の書き込み及び前記情報の記録内容の読み出しを行う磁気記録再生手段と、前記フィルムの使用状態を判別する判別手段と、焦点距離切換え可能な撮影レンズと、操作手段とを有し、前記操作手段が前記判別手段の判別結果に応じて、前記撮影レンズの焦点距離切換え手段と前記フィルムの前記情報の読み出し開始を指示する指示手段とに切換える切換え制御手段を有することを特徴とするカメラ。
【請求項８】
請求項７に記載のカメラで、前記判別手段によって前記フィルムが撮影済みと判別された場合は、前記支持手段は前記操作手段を前記フィルムの前記情報の読み出し開始を指示する指示手段に切換えることを特徴とするカメラ。
【請求項９】
請求項７に記載のカメラで、前記判別手段によって前記フィルムが現像済みと判別された場合は、前記支持手段は前記操作手段を前記フィルムの前記情報の読み出し開始を指示する指示手段に切換えることを特徴とするカメラ。
【請求項１０】
請求項７に記載のカメラで、前記判別手段によって前記フィルムが未露光と判別された場合は、前記指示手段は前記操作手段を前記撮影レンズの焦点距離切換え手段に切換えることを特徴とするカメラ。
【請求項１１】
請求項７に記載のカメラで、前記判別手段によって前記フィルムが撮影途中と判別された場合は、前記指示手段は前記操作手段を前記撮影レンズの焦点距離切換え手段に切換えることを特徴とするカメラ。
【発明の詳細な説明】
【０００１】
【発明の属する技術分野】
本発明は、未露光，撮影途中，撮影済のフィルム状態を表示する手段を具備したフィルムカートリッジのあらゆる使用状態に応じて、フィルムの情報を認識するカメラの改良に関するものである。
【０００２】
【従来の技術】
従来より、フィルム面に磁気データを記録し、全駒への撮影が終了する前に取り出され、その後再装填された場合、つまり途中駒まで撮影済みのフィルムが再装填された場合、前記磁気データを基に未露光の先頭駒の割り出し（いわゆる頭出し）を行う機能を備えたカメラは知られている。また、上記の様に途中駒まで撮影されたフィルムが再装填された場合に、磁気記録可能なフィルムのリーダ部に記録されているデータを読み出し、そのデータの内容を表示するカメラに関して特開平１１−１３３４９８号公報で提案されている。
【０００３】
また、撮影済みや現像済みカートリッジをカメラに装填した場合に警告表示を出すものも一般的になっている。
【０００４】
一方、現像済みのフィルムの撮影駒に記録された撮影情報を視認できるようにしたカメラに関しても特開平０８−２５４７４０号公報で提案されている。
【０００５】
【発明が解決しようとする課題】
しかし、上記従来例の特開平１１−１３３４９８号公報では撮影済み及び現像済みフィルムが装填された場合、フィルムのリーダ部に書き込まれた情報のみを読み出すものである為、各駒に記録された情報は知る事はできない。また、一般的には現像済みフィルムや撮影済みフィルムをカメラに装填した場合は警告表示を行うだけで、フィルムの情報に関してユーザは知ることができない。
【０００６】
一方、現像済みのフィルムの撮影駒に記録された撮影情報を視認できるようにしたカメラに関しても特開平０８−２５４７４０号公報で提案されているが、この場合現像済みフィルムに対しての各駒の情報を視認させるものであり、現像されていない撮影済みフィルムの場合には対応していなかった。その為、フィルムに記録された情報がカメラに表示されないのでユーザには認識できないという欠点が有った。また、未現像の撮影済みフィルム場合、警告表示後にどうするかユーザが決めなくてはいけなかった。
【０００７】
【課題を解決するための手段】
上記目的を達成するために、本出願に係る請求項１に記載の発明は、フィルムの使用状態に応じて、情報の読み出しモードにある時には装填されたフィルムに記録された情報の内容を認識する事ができ、またシャッタ動作を禁止しているので、不要な撮影動作をすることもなく安心して情報の確認が可能になる。
【０００８】
本出願に係る請求項２に記載の発明は、フィルムの使用状態が撮影済みの場合でも、情報の読み出しモードにある時には装填されたフィルムに記録された情報の内容を認識する事ができ、またシャッタ動作を禁止しているので、二重露光になることもなく安心して情報の確認が可能になる。
【０００９】
本出願に係る請求項３に記載の発明は、フィルムの使用状態が現像済みの場合でも、情報の読み出しモードにある時には装填されたフィルムに記録された情報の内容を認識する事ができ、またシャッタ動作を禁止しているので、不要な撮影動作をすることもなく安心して情報の確認が可能になる。
【００１０】
本出願に係る請求項４に記載の発明は、フィルムの使用状態に関わらず、設定手段によって情報の読み出しモードに設定された場合には、確実にシャッタ駆動動作を禁止するので撮影済みのフィルムがあっても二重露光することなく安心して情報の確認が可能になる。
【００１１】
本出願に係る請求項５に記載の発明は、使用状態が不明のフィルムが装填された場合に、どの様なフィルムであるかがすぐに表示手段によって認識できるので非常に便利である。
【００１２】
本出願に係る請求項６に記載の発明は、情報の読み出し状態にある時にフィルムの装填後に連続的に情報の読み出しが行われるので煩わしい操作指示が不要である。
【００１３】
本出願に係る請求項７に記載の発明は、焦点距離の切換え可能なカメラの場合には撮影状態では操作スイッチを焦点距離切換えに使用し、情報読み出し状態では、情報の読み出しの指示手段に切り換わるので、むやみに操作スイッチを増やすことがない。
【００１４】
本出願に係る請求項８に記載の発明は、請求項７に記載のカメラにおいて装填されたフィルムが撮影済みと判別された場合は、前記の切換え制御手段によって前記操作スイッチが自動的に情報の読み出しスイッチに切り換わるので、煩わしい切換え動作が不要である。
【００１５】
本出願に係る請求項９に記載の発明は、請求項７に記載のカメラにおいて装填されたフィルムが現像済みと判別された場合は、前記の切換え制御手段によって前記操作スイッチが自動的に情報の読み出しスイッチに切り換わるので、煩わしい切換え動作が不要である。
【００１６】
本出願に係る請求項１０に記載の発明は、請求項７に記載のカメラにおいて装填されたフィルムが未露光と判別された場合は、前記の切換え制御手段によって前記操作スイッチが自動的に撮影レンズの焦点距離切換えスイッチに切り換わるので、煩わしい切換え動作が不要である。
【００１７】
本出願に係る請求項１１に記載の発明は、請求項７に記載のカメラにおいて装填されたフィルムが撮影途中と判別された場合は、前記の切換え制御手段によって前記操作スイッチが自動的に撮影レンズの焦点距離切換えスイッチに切り換わるので、煩わしい切換え動作が不要である。
【００１８】
【発明の実施の形態】
（実施形態１）
本発明の第一の実施形態について図１〜図４を使って説明を行う。図３は本発明のカメラに使用するカートリッジの上面を示す図である。３０はフィルムカートリッジ、３１はフィルムカートリッジ３０に収納されたフィルム（不図示）の駆動とともに回転するデータディスク、３２はデータディスク３１に記録されフィルムの各種の情報を示すバーコードである。また、図４は本発明のカメラに使用するカートリッジの側面を示す図である。３３はフィルム、３４はフィルム３３のリーダ部の磁気記録部の位置で、３５は一駒目の磁気記録部の位置を示している。図２は本発明のカメラの回路構成を示すブロック図である。１はカメラの動作を制御する制御回路で、２はカートリッジデータディスク読込み回路、３は被写体の明るさを検出する測光回路、４は被写体までの距離を測定する測距回路、５は合焦動作時にレンズを駆動するためのレンズ駆動回路で、６はレンズ駆動用モータである。７はシャッタ駆動回路であり、８はシャッタ駆動回路７により駆動されるシャッタ用アクチュエータである。９はフィルム駆動を行わせる給送駆動回路で、１０は給送駆動回路により駆動される給送モータである。１１はカメラのズーム切換えを駆動するズーム駆動回路で、１２はズーム駆動回路によりズーム動作を行うズーム駆動用モータである。１３はフィルムに記録されたデータを読み込むためのデータ読込み回路で、１４はフィルム（不図示）に記録されたデータを読み出す為の磁気ヘッドである。１５はカメラの各種の情報を表示する表示回路で、前述の表示回路１５により１６の表示手段に情報が表示される。２０はカメラの電源ＳＷ、２１はカートリッジが装填されているかを検知するためのカートリッジ検知ＳＷ、２２はカメラのレリーズＳＷ１で２３はレリーズＳＷ２であり、この構成については後述する。２４はフィルムの使用途中で巻戻し動作を開始させるための巻戻しＳＷである。２５は焦点距離をテレ側に駆動させるテレＳＷで、２６は焦点距離をワイド側に駆動させるワイドＳＷである。
【００１９】
次にカメラの動作システムについて、図１のフローチャートにより説明を行うことにする。ステップ５０において電源スイッチ２０がオンするとステップ５１へ進み、カートリッジ検知スイッチ２１の状態によりフィルムカートリッジ３０が装填されたか否かの判別を行う。フィルムカートリッジ３０が装填されるとステップ５２へ進む。不図示のカートリッジ室蓋の閉状態をカートリッジ室蓋検知スイッチ２１により検知すると、ステップ５３に進み給送モータ１０が駆動を始める。ステップ５２でカートリッジ室蓋（不図示）が開いていると、ステップ５１に戻る。ステップ５３で給送モータ１０の駆動が開始されると、ステップ５４でフィルムカートリッジ３０のデータディスク３１の読込みによりデータディスク３１の静止状態での位相を検知し、装填されたフィルムカートリッジ３０のフィルムの状態（未露光、撮影途中、撮影済み又は現像済みのいずれかの状態）を検知する。また、前述の給送モータ１０の駆動によりフィルムカートリッジ３０のデータディスク３１が回転し、データディスク３１の読込み手段１７によりデータディスク３１上のバーコードデータ３２を検知し、フィルム感度、ラチチュード情報、フィルム枚数等を読込み込む。ステップ５５からステップ５８でフィルムの使用状態を場合分けした後、フィルムの使用状態に応じた変数Ｆがステップ５９からステップ６２で設定される。現像済みフィルムではステップ５９でＦ＝０、撮影済みフィルムではステップ６０でＦ＝１、撮影途中フィルムではステップ６１でＦ＝２、未露光フィルムではステップ６２でＦ＝３がそれぞれ設定される。ステップ６３では現像済みフィルムと撮影済みフィルムの場合にシャッタ動作を禁止するフラグＡをたてる。ステップ６４ではフィルム使用状態の表示が行われる。ステップ６５ではＦが１以下つまり現像済みフィルムと撮影済みフィルムの場合で、この場合はステップ６７に進む。また、Ｆが２以上の場合はステップ６６に進み、ステップ６６で未露光フィルムか否かが判別される。未露光フィルムの場合はステップ８３に進み、フィルム撮影途中の場合はステップ７６に進む。ステップ６７でフィルム巻上げ動作を開始し、磁気ヘッド１４によりステップ６８でフィルムリーダ部３４のデータ読込みを行う。その読込まれたデータをカメラの表示手段１６に表示しステップ６９に進む。ステップ６９では磁気ヘッド１４により各駒に書き込まれたデータ３５の読込みを行い、ステップ７０でそのデータを表示手段１６に表示し、ステップ７１に進む。ステップ７１では最終駒か否かの検出を行い、最終駒でない場合はステップ６９に戻り、前述の順次各駒のデータ３５を読み出し、表示手段１６により表示作業を繰返す。ステップ７１で最終駒が検出されると、フィルムの巻戻しが開始される。ステップ７３でフィルムの巻戻しが終了したか否かの判別をし、フィルムの巻き戻しが終了するまで巻戻し動作を続ける。ステップ７３でフィルムの巻戻し作業が終了すると、ステップ７４に進みデータディスク３１を最初の使用状態に再セットし直し、ステップ７５で終了する。ステップ６６でＦ＝３でなければ、ステップ７６でフィルム巻上げ動作を開始し、磁気ヘッド１４によりステップ７７ではフィルムリーダ部のデータ読込みを行う。その読込まれたデータをカメラの表示手段１６に表示しステップ７８に進む。ステップ７８では磁気ヘッド１４により各駒に書き込まれたデータの読込みを行い、ステップ７９でそのデータの表示を行い、ステップ８０に進む。ステップ８０では未露光駒か否かの検出を行い、未露光駒でない場合はステップ７８に戻り、前述の順次各駒のデータを読み出し、表示作業を繰返す。ステップ８０で未露光駒が検出されるとステップ８１に進み、フィルムの巻上げ停止を行い、ステップ８５に進む。一方、ステップ６６でＦ＝３の場合はステップ８３に進み、フィルムの巻上げ動作を開始する。ステップ８４で一駒目か否かの割出しを行い、一駒目が検出されるまで継続する。一駒目が検出されると、ステップ８１に進む。Ｆ＝２、３の場合は、そのまま撮影待機状態に移行する。ステップ８５で巻戻しＳＷ２４がオンしているか否かを判別し、巻戻しＳＷ２４が押されていないと、ステップ８６に進み、押されているとステップ８７に進む。ステップ８６ではズームＳＷのテレＳＷ２５かワイドＳＷ２６が操作されているか否かの判別を行う。テレＳＷ２５かワイドＳＷ２６が操作されている場合はステップ８９に進み、スイッチに応じたズーム動作つまり焦点距離の切換えを行う。その後、ステップ８５に戻る。ステップ８６でズームＳＷ２５、２６が操作されていない場合は、ステップ８８に進み、レリーズスイッチの第一段目のスイッチであるＳＷ１　２２がオンされているか否かの判別を行う。ＳＷ１　２２がオンしていない時はステップ８５に戻る。ＳＷ１　２２がオンしている時は、ステップ９０で被写体の明るさを測光し、ステップ９１で被写体までの距離を測距し、ステップ９２に進む。ステップ９２ではレリーズスイッチの第一段目の押圧から更に押圧すると第二段目のスイッチであり、このスイッチであるＳＷ２２３がオンしているか否かを判別している。ＳＷ２　２３がオンしていなければ、ステップ８５に戻る。ステップ９２でＳＷ２　２３がオンしていた場合は、ステップ９３に進み前述の測距結果に応じた合焦動作を行い、ステップ９４のシャッタ動作後に巻き上げを開始する。ステップ９６で一駒送りを検知し、検知した場合は巻き上げを停止する。ステップ９８でフィルムが終了した否かを検知し、フィルムが終了してない場合はステップ８５に戻る。ステップ９８でフィルムが終了した場合はステップ８７に進み、巻戻しが開始され、ステップ９９で巻戻しが終了したか否かを判別している。ステップ９９で巻戻しが終了した時点で、ステップ１００に進みデータディスク３１を最初の使用状態に再セットし直し、ステップ１０１でフィルムカートリッジ３０の排出が可能であることを表示手段１６に表示し、ステップ１０２で終了する。
【００２０】
（実施形態２）
次に、本発明の第二の実施形態について図５のフローチャートを使って説明する。第二の実施形態では第一の実施形態と変わる所だけを説明する。この第二の実施形態では焦点距離切換えスイッチがフィルムの情報の読み出しスイッチに切り換わった場合についての説明をである。ステップ６８からステップ１５０に進み、一駒目の割出しを行い、一駒目が割出されたらステップ１５１でフィルムの巻上げを停止する。ステップ１５２でテレスイッチがオンしているか否かの検出を行い、オンしていなければステップ１５３に進む。テレスイッチがオンしていれば、ステップ１５６でフィルムの巻上げを開始し、ステップ１５７でフィルムに記録されたデータ３５を磁気ヘッド１４で読込み、ステップ１５８で一駒送りが完了したが否かを判別し、完了していなければステップ１５７へ戻り、完了していればステップ１５９に進む。ステップ１５９では最終駒を過ぎたか否かの判別を行い、最終駒を過ぎていればステップ１５５に進み、過ぎていなければステップ１５２に戻る。ステップ１５３ではワイドスイッチがオンしたか否かの判別を行いオンしていればステップ１６０に進み、オンしていなければステップ１５４に進む。ステップ１５３ではワイドスイッチがオンしているとステップ１６０に進む。ステップ１６０では巻戻しを開始し、ステップ１６１に進み、磁気ヘッド１４でデータの読込みを行い、ステップ１６２で一駒送りが完了したが否かを判別し、完了していなければステップ１６１へ戻り、完了していればステップ１６３に進む。ステップ１６３では巻戻しが終了したか否かの判別を行い、終了していればステップ１６５に進み、終了していなければステップ１５２に戻る。ステップ１５５では巻戻しが開始し、ステップ１６４で巻戻しが終了したか否かの判別を行い、終了していればステップ１６５に進み、データディスク３１を最初の使用状態に再セットし直し、ステップ１６６でフィルムカートリッジ３０の排出が可能であることを表示手段１６に表示し、ステップ１６７で終了する。
【００２１】
（実施形態３）
次に、本発明の第三の実施形態について図６のフローチャートを使って説明する。ステップ２００において電源スイッチ２０がオンするとステップ２０１へ進み、カートリッジ検知スイッチ２１の状態によりフィルムカートリッジ３０が装填されたか否かの判別を行う。フィルムカートリッジ３０が装填されるとステップ２０２へ進む。不図示のカートリッジ室蓋の閉状態をカートリッジ室蓋検知スイッチ２１により検知すると、ステップ２０３に進み給送モータ１０が駆動を始める。ステップ２０２でカートリッジ室蓋（不図示）が開いていると、ステップ２０１に戻る。ステップ２０３で給送モータ１０の駆動が開始されると、ステップ２０４でフィルムカートリッジ３０のデータディスク３１の読込みによりデータディスク３１の静止状態での位相を検知し、装填されたフィルムカートリッジ３０のフィルムの状態（未露光、撮影途中、撮影済み又は現像済みのいずれかの状態）を検知する。ステップ２０５では撮影モードか情報の読み出しモードなのかを検出する。ここで、モードＳＷ２７のオンは情報の読み出しモードを意味している。モードＳＷ２７がオンの時はステップ２０６に進みＦ＝１を設定し、ステップ２０８でシャッタ動作を制御するフラグＡ＝１が設定され、この場合はシャッタ動作が禁止される。ステップ２０５でモードＳＷ２７がオフの時はステップ２０７に進みＦ＝０を設定し、ステップ２０９に進む。ステップ２０９では表示手段によりモード状態の表示を行い、ステップ２１０に進む。ステップ２１０ではＦ＝１か否かの判断が行われ、Ｆ＝１の場合はステップ６７へ進み、Ｆ＝０の場合はステップ８５に進む。ステップ６７及びステップ８５以降に関しては第一の実施形態と同一である。
【００２２】
《請求項中の用語と実施形態中の用語の対応》
磁気記録再生手段：磁気ヘッド１４
判別手段：第一の実施形態中のＦの値、シャッタ装置：シャッタ
焦点距離切換え手段、指示手段：テレスイッチ２５、ワイドスイッチ２６
切換え制御手段：第三の実施形態のモード状態Ｆの値。
【００２３】
【発明の効果】
上記目的を達成するために、本出願に係る請求項１に記載の発明は、フィルムの使用状態に応じて、情報の読み出しモードにある時には装填されたフィルムに記録された情報の内容を認識する事ができ、またシャッタ動作を禁止しているので、不要な撮影動作をすることもなく安心して情報の確認が可能になる。
【００２４】
本出願に係る請求項２に記載の発明は、フィルムの使用状態が撮影済みの場合でも、情報の読み出しモードにある時には装填されたフィルムに記録された情報の内容を認識する事ができ、またシャッタ動作を禁止しているので、二重露光になることもなく安心して情報の確認が可能になる。
【００２５】
本出願に係る請求項３に記載の発明は、フィルムの使用状態が現像済みの場合でも、情報の読み出しモードにある時には装填されたフィルムに記録された情報の内容を認識する事ができ、またシャッタ動作を禁止しているので、不要な撮影動作をすることもなく安心して情報の確認が可能になる。
【００２６】
本出願に係る請求項４に記載の発明は、フィルムの使用状態に関わらず、設定手段によって情報の読み出しモードに設定された場合には、確実にシャッタ駆動動作を禁止するので撮影済みのフィルムがあっても二重露光することなく安心して情報の確認が可能になる。
【００２７】
本出願に係る請求項５に記載の発明は、使用状態が不明のフィルムが装填された場合に、どの様なフィルムであるかがすぐに表示手段によって認識できるので非常に便利である。
【００２８】
本出願に係る請求項６に記載の発明は、情報の読み出し状態にある時にフィルムの装填後に連続的に情報の読み出しが行われるので煩わしい操作指示が不要である。
【００２９】
本出願に係る請求項７に記載の発明は、焦点距離の切換え可能なカメラの場合には撮影状態では操作スイッチを焦点距離切換えに使用し、情報読み出し状態では、情報の読み出しの指示手段に切り換わるので、むやみに操作スイッチを増やすことがない。
【００３０】
本出願に係る請求項８に記載の発明は、請求項７に記載のカメラにおいて装填されたフィルムが撮影済みと判別された場合は、前記の切換え制御手段によって前記操作スイッチが自動的に情報の読み出しスイッチに切り換わるので、煩わしい切換え動作が不要である。
【００３１】
本出願に係る請求項９に記載の発明は、請求項７に記載のカメラにおいて装填されたフィルムが現像済みと判別された場合は、前記の切換え制御手段によって前記操作スイッチが自動的に情報の読み出しスイッチに切り換わるので、煩わしい切換え動作が不要である。
【００３２】
本出願に係る請求項１０に記載の発明は、請求項７に記載のカメラにおいて装填されたフィルムが未露光と判別された場合は、前記の切換え制御手段によって前記操作スイッチが自動的に撮影レンズの焦点距離切換えスイッチに切り換わるので、煩わしい切換え動作が不要である。
【００３３】
本出願に係る請求項１１に記載の発明は、請求項７に記載のカメラにおいて装填されたフィルムが撮影途中と判別された場合は、前記の切換え制御手段によって前記操作スイッチが自動的に撮影レンズの焦点距離切換えスイッチに切り換わるので、煩わしい切換え動作が不要である。
【図面の簡単な説明】
【図１】本発明の第一の実施形態のフローチャートを示す図。
【図２】本発明のカメラの回路ブロック図。
【図３】本発明のカメラに使用するカートリッジの上面を示す図。
【図４】本発明のカメラに使用するカートリッジの側面を示す図。
【図５】本発明の第二の実施形態のフローチャートを示す図。
【図６】本発明の第三の実施形態のフローチャートを示す図。
【符号の説明】
１３　データ読込み回路
１５　表示回路
１６　表示手段
３０　フィルムカートリッジ
【図１】
2004012500.tif 000003
【図２】
2004012500.tif 000004
【図３】
2004012500.tif 000005
【図４】
2004012500.tif 000006
【図５】
2004012500.tif 000007
【図６】
2004012500.tif 000008